(57)【要約】      （修正有）【課題】  ガラスなどの基板上に形成される放射線画像記録媒体とガラスなどの基板上に形成される平面状の発光体とが積層された放射線画像記録読取装置の製造方法において、高い鮮鋭度の放射線画像が得られるとともに、読取光の高い利用効率を得ることができる放射線画像記録読取装置を製造する。【解決手段】  放射線画像記録媒体１０を記録媒体用基板上に剥離層を介して形成した後、その放射線画像記録媒体１０を記録媒体用基板から剥離層において剥離するとともに、発光体８０を発光体用基板上に剥離層を介して形成した後、その発光体８０を発光体用基板から剥離層において剥離し、記録媒体用基板から剥離された放射線画像記録媒体１０と発光体用基板から剥離された発光体８０とを貼り合わせて形成する。【選択図】          図６
2005201807.tif 000002
【特許請求の範囲】
【請求項１】
放射線画像を担持する放射線の照射を受けて前記放射線画像を記録するとともに、読取光で走査されることより前記放射線画像に応じた電荷信号が読み取られる放射線画像記録媒体と前記読取光を発する発光層を有する平面状の発光体とが積層された放射線画像記録読取装置の製造方法であって、
前記放射線画像記録媒体を記録媒体用基板上に剥離層を介して形成した後、該放射線画像記録媒体を前記記録媒体用基板から剥離層において剥離し、
該記録媒体用基板から剥離された放射線画像記録媒体と前記発光体とを貼り合わせて形成することを特徴とする放射線画像記録読取装置の製造方法。
【請求項２】
前記発光体を発光体用基板上に剥離層を介して形成した後、該発光体を前記発光体用基板から剥離層において剥離し、
該発光体用基板から剥離された発光体と前記記録媒体用基板から剥離された放射線画像記録媒体とを貼り合わせて形成することを特徴とする請求項１記載の放射線画像記録読取装置の製造方法。
【請求項３】
前記発光体の熱膨張係数と前記発光体用基板の熱膨張係数とが互いに異なるものであり、
該熱膨張係数の相違を利用して前記発光体と前記発光体用基板とを前記剥離層において剥離させることを特徴とする請求項２記載の放射線画像記録読取装置の製造方法。
【請求項４】
前記放射線画像記録媒体の熱膨張係数と前記記録媒体用基板の熱膨張係数とが互いに異なるものであり、
該熱膨張係数の相違を利用して前記放射線画像記録媒体と前記記録媒体用基板とを前記剥離層において剥離させることを特徴とする請求項１から３いずれか１項記載の放射線画像記録読取装置の製造方法。
【請求項５】
光の照射により電荷を発生する電荷発生層と、該電荷発生層において発生した電荷により形成される電界に応じて光学特性が変化する表示層とを有する画像表示媒体と、前記光を発する発光層を有する平面状の発光体とが積層された画像表示装置の製造方法であって、
前記画像表示媒体を表示媒体用基板上に剥離層を介して形成した後、該画像表示媒体を前記表示媒体用基板から剥離層において剥離し、
該表示媒体用基板から剥離された画像表示媒体と前記発光体とを貼り合わせて形成することを特徴とする画像表示装置の製造方法。
【請求項６】
前記発光体を発光体用基板上に剥離層を介して形成した後、該発光体を前記発光体用基板から剥離層において剥離し、
該発光体用基板から剥離された発光体と前記表示媒体用基板から剥離された画像表示媒体とを貼り合わせて形成することを特徴とする請求項５記載の画像表示装置の製造方法。
【請求項７】
前記発光体の熱膨張係数と前記発光体用基板の熱膨張係数とが互いに異なるものであり、
該熱膨張係数の相違を利用して前記発光体と前記発光体用基板とを前記剥離層において剥離させることを特徴とする請求項６記載の画像表示装置の製造方法。
【請求項８】
前記画像表示媒体の熱膨張係数と前記表示媒体用基板の熱膨張係数とが互いに異なるものであり、
該熱膨張係数の相違を利用して前記画像表示媒体と前記表示媒体用基板とを前記剥離層において剥離させることを特徴とする請求項５から７いずれか１項記載の画像表示装置の製造方法。
【請求項９】
放射線画像を担持する放射線の照射を受けて前記放射線画像を記録するとともに、読取光で走査されることより前記放射線画像に応じた電荷信号が読み取られる放射線画像記録媒体であって、記録媒体用基板上に剥離層を介して形成された後、前記記録媒体用基板から剥離層において剥離された放射線画像記録媒体と、
前記読取光を発する発光層を有する平面状の発光体とを積層してなることを特徴とする放射線画像記録読取装置。
【請求項１０】
前記発光体が、発光体用基板上に剥離層を介して形成された後、前記発光体用基板から剥離層において剥離されたものであることを特徴とする請求項９記載の放射線画像記録読取装置。
【請求項１１】
光の照射により電荷を発生し、該電荷の発生により形成される電界に応じて光学特性が変化する表示層を有する画像表示媒体であって、表示媒体用基板上に剥離層を介して形成された後、前記表示媒体用基板から剥離層において剥離された画像表示媒体と、
前記光を発する発光層を有する平面状の発光体とを積層してなることを特徴とする画像表示装置。
【請求項１２】
前記発光体が、発光体基板上に剥離層を介して形成された後、前記発光体用基板から剥離層において剥離されたものであることを特徴とする請求項１１記載の画像表示装置。
【請求項１３】
放射線画像を担持する放射線の照射を受けて前記放射線画像を記録するとともに、読取光で走査されることより前記放射線画像に応じた電荷信号が読み取られる放射線画像記録媒体と、前記読取光を発する発光層を有する平面状の発光体とが積層された放射線画像記録読取装置であって、
前記放射線画像記録媒体と前記発光体との間に前記放射線画像記録媒体が形成される記録媒体用基板が設けられてないことを特徴とする放射線画像記録読取装置。
【請求項１４】
前記放射線画像記録媒体の前記発光体側の面に、該面を被覆する記録媒体用被覆層が設けられていることを特徴とする請求項１３記載の放射線画像記録読取装置。
【請求項１５】
前記放射線画像記録媒体と前記発光体との間に前記発光体が形成される発光体用基板が設けられてないことを特徴とする請求項１３または１４記載の放射線画像記録読取装置。
【請求項１６】
前記発光体の前記放射線画像記録媒体側の面に、該面を被覆する発光体用被覆層が設けられていることを特徴とする請求項１５記載の放射線画像記録読取装置。
【請求項１７】
光の照射により電荷を発生する電荷発生層と、該電荷発生層において発生した電荷により形成される電界に応じて光学特性が変化する表示層とを有する画像表示媒体と前記光を発する発光層を有する平面状の発光体とが積層された画像表示装置であって、
前記画像表示媒体と前記発光体との間に前記画像表示媒体が形成される表示媒体用基板が設けられてないことを特徴とする画像表示装置。
【請求項１８】
前記画像表示媒体の前記発光体側の面に、該面を被覆する表示媒体用被覆層が設けられていることを特徴とする請求項１７記載の画像表示装置。
【請求項１９】
前記画像表示媒体と前記発光体との間に前記発光体が形成される発光体用基板が設けられてないことを特徴とする請求項１７または１８記載の画像表示装置。
【請求項２０】
前記発光体の前記画像表示媒体側の面に、該面を被覆する発光体用被覆層が設けられていることを特徴とする請求項１９記載の画像表示装置。
【発明の詳細な説明】
【技術分野】
【０００１】
本発明は、ガラスなどの基板上に形成される放射線画像記録媒体とガラスなどの基板上に形成される平面状の発光体とが積層された放射線画像記録読取装置およびガラスなどの基板上に形成される画像表示媒体とガラスなどの基板上に形成される発光体とが積層された画像表示装置並びにそれらの製造方法に関するものである。
【背景技術】
【０００２】
従来より、医療分野などにおいて、被写体を透過した放射線の照射を受けて電荷を発生し、その電荷を蓄積することにより被写体に関する放射線画像を記録する放射線画像記録媒体が各種提案、実用化されている。
【０００３】
上記のような放射線画像記録媒体としては、たとえば、特許文献１には、放射線を透過する第１の電極層、放射線の照射を受けることにより電荷を発生する記録用光導電層、記録用光導電層で発生した一方の極性の電荷に対しては絶縁体として作用し、かつ上記他方の極性の電荷に対しては導電体として作用する電荷輸送層、読取光の照射を受けることにより電荷を発生する読取用光導電層、および読取光を透過する線状に延びる第１の線状電極と読取光を遮光する線状に延びる第２の線状電極とが平行に交互に配列された第２の電極層をこの順に積層してなる放射線画像記録媒体が提案されている。
【０００４】
上記のように構成された放射線画像記録媒体により放射線画像の記録を行う際には、まず、第１の電極層に負の電圧が印加された状態で、被写体を透過した放射線が照射される。そして、その放射線の照射により記録用光導電層において電荷対が発生し、この電荷対のうちの負の極性の電荷が記録用光導電層と電荷輸送層との界面である蓄電部に蓄積されることにより放射線画像の記録が行われる。次に、上記のようにして放射線画像が記録された放射線画像記録媒体から放射線画像に応じた画像信号を読み取る際には、まず、第１の電極層が接地された状態で第２の電極層側から読取光が照射される。そして、この読取光の照射により読取用光導電層において電荷対が発生し、上記電荷対のうちの正の電荷が蓄電部に蓄積された負の電荷と結合するとともに、負の電荷が第１の線状電極に帯電した正の電荷と結合することにより、その電流変化が第１の線状電極に接続された電流検出アンプなどによって画像信号として検出され、放射線画像に応じた画像信号を読取りが行われる。
【０００５】
また、上記のような放射線画像記録媒体としては、上記のように放射線の照射を受けてその放射線を直接電荷に変換することにより放射線画像の記録を行う、いわゆる直接変換方式のものと、たとえば、特許文献２などにおいて、放射線を一旦可視光に変換し、その可視光を電荷に変換することにより放射線画像の記録を行う、いわゆる間接変換方式のものが提案されている。
【０００６】
ここで、上記のような２つの電極層に挟まれた構成を有する放射線画像記録媒体を製造する際には、第２の電極層の線状電極を精度よく形成するため、あるいは上記線状電極が設けられる読取用光導電層は線状電極を形成するエッチングプロセスに耐えうる材質ではないため、まず、ガラスなどの基板上に線状電極が形成された後、その上に読取用光導電層などのその他の層が形成される。
【０００７】
また、上記のような放射線画像記録媒体に読取光を照射する発光体として、平面状の有機ＥＬ光源が提案されており、この有機ＥＬ光源も上記放射線画像記録媒体と同様に２つの電極層で挟まれた構成であり、具体的には、読取光を発する有機ＥＬ層を読取光を透過する線状電極からなるアノード電極層と平面状のカソード電極層とで挟む構成である。したがって、有機ＥＬ光源を製造する際にも、上記放射線画像記録媒体と同様に、まず、ガラスなどの基板上に線状電極からなるアノード電極層が形成された後、その上に有機ＥＬ層が形成される。
【０００８】
また、上記のようにして製造された有機ＥＬ光源を利用して画像を表示することができる画像表示媒体が提案されている。具体的には、上記画像表示媒体は、可視光を透過する第１の電極層と、電界に応じて光学特性が変化する表示層と、光の照射により導電性を呈する光スイッチング層と、光を透過する線状電極が多数平行に配列された第２の電極層とがこの順に積層されたものである。上記画像表示媒体により画像を表示する際には、画像情報に応じた電圧が第２の電極層の線状電極に印加されるとともに、有機ＥＬ光源から発せられた光が第２の電極層側から２次元状に走査される。そして、その走査によって光スイッチング層において発生した電荷により第１の電極層と光スイッチング層との間に電界が形成され、その電界に応じて表示層の光学特性が変化して画像情報が表示される。上記表示層としては、たとえば、正に帯電した白色粉末と負に帯電した黒色粉末とが充填されたマイクロカプセルを分散した分散層を備えたものや、液晶とアクリルモノマーをセル内に封入した後ＵＶ光を照射して液晶内にポリマーネットワークを形成した液晶層を備えたものなどが提案されている。
【０００９】
そして、上記のような画像表示媒体も、上記放射線画像記録媒体や上記有機ＥＬ光源と同様に２つの電極層で挟まれた構成であり、具体的には、表示層および光スイッチング層を第１の電極層と第２の電極層とで挟む構成である。したがって、画像表示媒体を製造する際にも、上記放射線画像記録媒体や上記有機ＥＬ光源と同様に、まず、ガラスなどの基板上に線状電極からなる第２の電極層が形成された後、その上にその他の層が形成される。
【００１０】
【特許文献１】特開２０００−２８４０５６号公報
【特許文献２】特開２０００−３４６９５１号公報
【発明の開示】
【発明が解決しようとする課題】
【００１１】
しかしながら、上記のようにして製造された放射線画像記録媒体と有機ＥＬ光源を利用して放射線画像記録読取装置を構成するようにした場合には、放射線画像記録媒体や有機ＥＬ光源が形成されるガラスなどの基板を間に挟んで互いに貼り合わせることになるので、有機ＥＬ光源から発せられた光は厚い基板を透過して放射線画像記録媒体に照射されることになる。したがって、有機ＥＬ光源から発せられた光が基板において拡散してしまい放射線画像記録媒体から読み取られる放射線画像の鮮鋭度が低下してしまう問題が生じる。
【００１２】
また、上記問題を解決するために、放射線画像記録媒体の基板と有機ＥＬ光源の基板との間にセルフォックレンズアレイなどの収束光学素子を配置して読取光を収束し、鮮鋭度を向上させる方法が考えられるが、この場合、有機ＥＬ光源から発せられた光の利用効率が低下してしまうため、その利用効率の低下を補うために有機ＥＬ光源の駆動電流を増加させ、有機ＥＬ光源の発光輝度を増加させる必要があり、有機ＥＬ光源の寿命を縮めてしまう問題が生じる。
【００１３】
また、上記のように製造された画像表示媒体と有機ＥＬ光源を利用して画像表示装置を構成する場合も同様であり、画像表示媒体に表示される画像の鮮鋭度が低下したり、有機ＥＬ光源の寿命を縮めてしまう問題が生じる。
【００１４】
本発明は、上記事情に鑑み、上記放射線画像記録媒体と上記有機ＥＬ光源のような発光体とが積層された放射線画像記録読取装置およびその製造方法において、高い鮮鋭度の放射線画像が得られるとともに、読取光の高い利用効率を得ることができる放射線画像記録読取装置およびその製造方法を提供することを目的とするものである。
【００１５】
また、上記画像表示媒体と上記有機ＥＬ光源のような発光体とが積層された画像表示装置およびその製造方法において、高い鮮鋭度の画像を表示することができるとともに、発光体から発せられた光の高い利用効率を得ることができる画像表示装置およびその製造方法を提供することを目的とするものである。
【課題を解決するための手段】
【００１６】
本発明の放射線画像記録読取装置の製造方法は、放射線画像を担持する放射線の照射を受けて放射線画像を記録するとともに、読取光で走査されることより放射線画像に応じた電荷信号が読み取られる放射線画像記録媒体と読取光を発する発光層を有する平面状の発光体とが積層された放射線画像記録読取装置の製造方法であって、放射線画像記録媒体を記録媒体用基板上に剥離層を介して形成した後、その放射線画像記録媒体を記録媒体用基板から剥離層において剥離し、その記録媒体用基板から剥離された放射線画像記録媒体と発光体とを貼り合わせて形成することを特徴とする。
【００１７】
また、上記放射線画像記録読取装置の製造方法においては、発光体を発光体用基板上に剥離層を介して形成した後、その発光体を発光体用基板から剥離層において剥離し、その発光体用基板から剥離された発光体と記録媒体用基板から剥離された放射線画像記録媒体とを貼り合わせて形成するようにすることができる。
【００１８】
また、発光体の熱膨張係数と発光体用基板の熱膨張係数とを互いに異なるものとし、その熱膨張係数の相違を利用して発光体と発光体用基板とを剥離層において剥離させるようにすることができる。
【００１９】
また、放射線画像記録媒体の熱膨張係数と記録媒体用基板の熱膨張係数とを互いに異なるものとし、その熱膨張係数の相違を利用して放射線画像記録媒体と記録媒体用基板とを剥離層において剥離させるようにすることができる。
【００２０】
本発明の画像表示装置の製造方法は、光の照射により電荷を発生する電荷発生層と、その電荷発生層において発生した電荷により形成される電界に応じて光学特性が変化する表示層とを有する画像表示媒体と、上記光を発する発光層を有する平面状の発光体とが積層された画像表示装置の製造方法であって、画像表示媒体を表示媒体用基板上に剥離層を介して形成した後、その画像表示媒体を表示媒体用基板から剥離層において剥離し、その表示媒体用基板から剥離された画像表示媒体と発光体とを貼り合わせて形成することを特徴とする。
【００２１】
また、上記画像表示装置の製造方法においては、発光体を発光体用基板上に剥離層を介して形成した後、その発光体を発光体用基板から剥離層において剥離し、その発光体用基板から剥離された発光体と表示媒体用基板から剥離された画像表示媒体とを貼り合わせて形成するようにすることができる。
【００２２】
また、発光体の熱膨張係数と発光体用基板の熱膨張係数とを互いに異なるものとし、その熱膨張係数の相違を利用して発光体と発光体用基板とを剥離層において剥離させるようにすることができる。
【００２３】
また、画像表示媒体の熱膨張係数と表示媒体用基板の熱膨張係数とを互いに異なるものとし、その熱膨張係数の相違を利用して画像表示媒体と表示媒体用基板とを剥離層において剥離させるようにすることができる。
【００２４】
また、本発明の第１の放射線画像記録読取装置は、放射線画像を担持する放射線の照射を受けて放射線画像を記録するとともに、読取光で走査されることより放射線画像に応じた電荷信号が読み取られる放射線画像記録媒体であって、記録媒体用基板上に剥離層を介して形成された後、記録媒体用基板から剥離層において剥離された放射線画像記録媒体と、読取光を発する発光層を有する平面状の発光体とを積層してなることを特徴とする。
【００２５】
また、上記第１の放射線画像記録読取装置においては、発光体を、発光体用基板上に剥離層を介して形成された後、発光体用基板から剥離層において剥離されたものとすることができる。
【００２６】
本発明の第１の画像表示装置は、光の照射により電荷を発生し、その電荷の発生により形成される電界に応じて光学特性が変化する表示層を有する画像表示媒体であって、表示媒体用基板上に剥離層を介して形成された後、表示媒体用基板から剥離層において剥離された画像表示媒体と、上記光を発する発光層を有する平面状の発光体とを積層してなることを特徴とする。
【００２７】
また、上記第１の画像表示装置においては、発光体を、発光体基板上に剥離層を介して形成された後、発光体用基板から剥離層において剥離されたものとすることができる。
【００２８】
本発明の第２の放射線画像記録読取装置は、放射線画像を担持する放射線の照射を受けて放射線画像を記録するとともに、読取光で走査されることより放射線画像に応じた電荷信号が読み取られる放射線画像記録媒体と、読取光を発する発光層を有する平面状の発光体とが積層された放射線画像記録読取装置であって、放射線画像記録媒体と発光体との間に放射線画像記録媒体が形成される記録媒体用基板が設けられてないことを特徴とするものである。
【００２９】
また、上記第２の放射線画像記録読取装置においては、放射線画像記録媒体の発光体側の面に、その面を被覆する記録媒体用被覆層を設けるようにすることができる。
【００３０】
また、放射線画像記録媒体と発光体との間に発光体が形成される発光体用基板が設けられてないようにすることができる。
【００３１】
また、発光体の放射線画像記録媒体側の面に、その面を被覆する発光体用被覆層を設けるようにすることができる。
【００３２】
本発明の第２の画像表示装置は、光の照射により電荷を発生する電荷発生層と、その電荷発生層において発生した電荷により形成される電界に応じて光学特性が変化する表示層とを有する画像表示媒体と上記光を発する発光層を有する平面状の発光体とが積層された画像表示装置であって、画像表示媒体と発光体との間に画像表示媒体が形成される表示媒体用基板が設けられてないことを特徴とするものである。
【００３３】
また、上記第２の画像表示装置においては、画像表示媒体の発光体側の面に、その面を被覆する表示媒体用被覆層を設けるようにすることができる。
【００３４】
また、画像表示媒体と発光体との間に発光体が形成される発光体用基板を設けないようにすることができる。
【００３５】
また、発光体の画像表示媒体側の面に、その面を被覆する発光体用被覆層を設けるようにすることができる。
【００３６】
ここで、上記「剥離層」とは、上記基板からの剥離を容易にするものであれば如何なるものでもよいが、たとえば、１〜１０μｍ程度の厚さのポリイミドの薄膜などを形成するようにすればよい。また、上記「剥離層」は、１つの層だけではなく複数の層で構成するようにしてもよい。
【００３７】
また、上記「被覆層」とは、上記基板とは異なるものであって、上記放射線画像記録媒体、上記発光体、または上記画像表示媒体の形成に耐えうる材料で形成されるものであり、たとえば、２２０℃で焼成されたアクリルなどを利用することができる。
【発明の効果】
【００３８】
本発明の放射線画像記録読取装置の製造方法および第１の放射線画像記録読取装置によれば、放射線画像記録媒体を記録媒体用基板上に剥離層を介して形成した後、その放射線画像記録媒体を記録媒体用基板から剥離層において剥離し、その記録媒体用基板から剥離された放射線画像記録媒体と発光体とを貼り合わせて形成することにより放射線画像記録媒体と発光体との間に記録媒体用基板が配置されないようにしたので、上記記録媒体用基板における読取光の散乱による放射線画像の鮮鋭度の低下を回避することができるとともに、読取光の利用効率の低下も回避することができる。
【００３９】
また、上記放射線画像記録読取装置の製造方法および第１の放射線画像記録読取装置において、発光体が発光体用基板上に形成されるものであり、発光体用基板側から読取光を発するものである場合には、発光体を発光体用基板上に剥離層を介して形成した後、その発光体を発光体用基板から剥離層において剥離し、その発光体用基板から剥離された発光体と記録媒体用基板から剥離された放射線画像記録媒体とを貼り合わせて形成するようにすれば、放射線画像記録媒体と発光体との間に発光体用基板が配置されないようにすることができるので、発光体用基板による鮮鋭度の低下なども回避することができる。
【００４０】
また、発光体の熱膨張係数と前記発光体用基板の熱膨張係数とを互いに異なるものとし、その熱膨張係数の相違を利用して発光体と発光体用基板とを剥離層において剥離させるようにした場合には、発光体用基板からの発光体の剥離をより容易に行うことができる。
【００４１】
また、放射線画像記録媒体の熱膨張係数と記録媒体用基板の熱膨張係数とを互いに異なるものとし、その熱膨張係数の相違を利用して放射線画像記録媒体と記録媒体用基板とを剥離層において剥離させるようにした場合には、記録媒体用基板からの放射線画像記録媒体の剥離をより容易に行うことができる。
【００４２】
本発明の画像表示装置の製造方法および第１の画像表示装置によれば、画像表示媒体を表示媒体用基板上に剥離層を介して形成した後、その画像表示媒体を表示媒体用基板から剥離層において剥離し、その表示媒体用基板から剥離された画像表示媒体と発光体とを貼り合わせて形成することにより画像表示媒体と発光体との間に表示媒体用基板が配置されないようにしたので、上記表示媒体用基板における上記光の散乱による表示画像の鮮鋭度の低下を回避することができるとともに、上記光の利用効率の低下も回避することができる。
【００４３】
また、上記画像表示装置の製造方法および第１の画像表示装置において、発光体が発光体用基板上に形成されるものであり、発光体用基板側から光を発するものである場合には、発光体を発光体用基板上に剥離層を介して形成した後、その発光体を発光体用基板から剥離層において剥離し、その発光体用基板から剥離された発光体と表示媒体用基板から剥離された画像表示媒体とを貼り合わせて形成するようにすれば、画像表示媒体と発光体との間に発光体用基板が配置されないようにすることができるので、発光体用基板による鮮鋭度の低下なども回避することができる。
【００４４】
また、発光体の熱膨張係数と発光体用基板の熱膨張係数とを互いに異なるものとし、その熱膨張係数の相違を利用して発光体と発光体用基板とを剥離層において剥離させるようにした場合には、発光体用基板からの発光体の剥離をより容易に行うことができる。
【００４５】
また、画像表示媒体の熱膨張係数と表示媒体用基板の熱膨張係数とを互いに異なるものとし、その熱膨張係数の相違を利用して画像表示媒体と表示媒体用基板とを剥離層において剥離させるようにした場合には、表示媒体用基板からの画像表示媒体の剥離をより容易に行うことができる。
【００４６】
本発明の第２の放射線画像記録読取装置によれば、放射線画像記録媒体と発光体との間に放射線画像記録媒体が形成される記録媒体用基板が設けないようにしたので、上記第１の放射線画像記録読取装置と同様に、上記記録媒体用基板における読取光の散乱による放射線画像の鮮鋭度の低下を回避することができるとともに、読取光の利用効率の低下も回避することができる。
【００４７】
また、上記第２の放射線画像記録読取装置において、放射線画像記録媒体の発光体側の面に、その面を被覆する記録媒体用被覆層を設けるようにした場合には、たとえば、上記放射線画像記録媒体を記録媒体用基板に形成した後、その記録媒体用基板から剥離するような場合において、その剥離の際、放射線画像記録媒体の発光体側の面から電極が剥がれてしまうのを回避することができる。
【００４８】
また、放射線画像記録媒体と発光体との間に発光体が形成される発光体用基板を設けないようにした場合には、上記第１の放射線画像記録読取装置と同様に、上記発光体用基板による鮮鋭度の低下なども回避することができる。
【００４９】
また、発光体の放射線画像記録媒体側の面に、その面を被覆する発光体用被覆層を設けるようにした場合には、たとえば、上記発光体を発光体用基板に形成した後、その発光体用基板から剥離するような場合において、その剥離の際、発光体の放射線画像記録媒体側の面から電極が剥がれてしまうのを回避することができる。
【００５０】
本発明の第２の画像表示装置によれば、画像表示媒体と発光体との間に画像表示媒体が形成される表示媒体用基板を設けないようにしたので、上記第１の画像表示装置と同様に、上記表示媒体用基板における上記光の散乱による表示画像の鮮鋭度の低下を回避することができるとともに、上記光の利用効率の低下も回避することができる。
【００５１】
また、上記第２の画像表示装置において、画像表示媒体の発光体側の面に、その面を被覆する表示媒体用被覆層を設けるようにした場合には、たとえば、上記画像表示媒体を表示媒体用基板に形成した後、その表示媒体用基板から剥離するような場合において、上記剥離の際、画像表示媒体の発光体側の面から電極が剥がれてしまうのを回避することができる。
【００５２】
また、画像表示媒体と発光体との間に発光体が形成される発光体用基板を設けないようにした場合には、上記第１の画像表示装置と同様に、上記発光体用基板による鮮鋭度の低下なども回避することができる。
【００５３】
また、発光体の画像表示媒体側の面に、その面を被覆する発光体用被覆層を設けるようにした場合には、たとえば、上記発光体を発光体用基板に形成した後、その発光体用基板から剥離し、これらを貼り合わせるような場合において、上記剥離の際、発光体の放射線記録媒体側の面から電極が剥がれてしまったりするのを回避することができる。
【発明を実施するための最良の形態】
【００５４】
以下、図面を参照して本発明の放射線画像記録読取装置の製造方法の一実施形態およびその製造方法を用いて製造した放射線画像記録読取装置について説明する。本放射線画像記録読取装置は、放射線画像を担持する放射線の照射を受けて放射線画像を記録するとともに、読取光で走査されることより放射線画像に応じた電荷信号が読み取られる放射線画像記録媒体と読取光を発光する発光層を有する平面状の発光体とが積層されたものである。
【００５５】
まず、本放射線画像記録読取装置における放射線画像記録媒体１０について説明する。図１に放射線画像記録媒体１０の斜視図を示す。
【００５６】
放射線画像記録媒体１０は、図１に示すように、放射線画像を担持した放射線の照射を受けて可視光を発する蛍光体を有する波長変換層１、波長変換層１から発せられた可視光を透過する第１の電極層２、第１の電極層２を透過した可視光の照射により導電性を呈する記録用光導電層３、記録用光導電層３において発生した一方の極性の電荷に対しては絶縁体として作用し、且つその電荷と逆極性の電荷に対しては導電体として作用する電荷輸送層４、読取光の照射を受けることにより導電性を呈する読取用光導電層５、および読取光を透過する線状に延びる線状電極６ａが平行に配列された第２の電極層６をこの順に積層してなるものである。そして、記録用光導電層３と電荷輸送層４との界面には放射線の照射量に応じて発生した電荷が蓄積される蓄電部７が形成される。
【００５７】
波長変換層１は、上記蛍光体を含む蛍光体層１ａと蛍光体層１ａを支持する支持体層１ｂとから構成されている。蛍光体層１ａに含まれる蛍光体としては、たとえば、ＣａＷＯなどを用いることができる。また、支持体層１ｂは、ＰＥＴからなるものである。
【００５８】
第１の電極層２としては、可視光を透過するものであればよく、たとえば、ＳｎＯ２、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができる。
【００５９】
第２の電極層６は、上記のように多数の線状電極６ａからなるものであるが、その材料としては読取光を透過するものであれば如何なるものでもよく、たとえば、ＩＴＯやＩＺＯを用いることができる。その厚さは０．２μｍ程度が適切である。また、ＡｌやＡｕなどを読取光を透過する程度の厚さとして用いることもできる。
【００６０】
記録用光導電層２は、放射線の照射を受けることにより電荷を発生するものであればよく、放射線に対して比較的量子効率が高く、また暗抵抗が高いなどの点で優れているａ−Ｓｅを主成分とするものを使用する。厚さは１０μｍ程度が適切である。
【００６１】
電荷輸送層３としては、たとえば、第１の電極層１に帯電する電荷の移動度と、その逆極性となる電荷の移動度の差が大きい程良く（例えば１０２以上、望ましくは１０３以上）ＰＶＫ（Poly(N-vinylcarbazole)）、ＴＰＤ（N,N’-diphenyl-n,n’-bis(3-methylphenyl)-1,1’-biphenyl-4,4’-diamine）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ等の半導体物質が適当である。
【００６２】
読取用光導電層４としては、読取光の照射を受けることにより導電性を呈するものであればよく、例えば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。厚さは０．１〜１μｍ程度が適切である。
【００６３】
そして、上記放射線画像記録媒体１０は、記録媒体用ガラス基板上に形成されて製造されるものである。図２に記録媒体用ガラス基板２０上に形成された放射線画像記録媒体１０の図１の２−２線断面図を示す。
【００６４】
図２に示すように、放射線画像記録媒体１０は、記録媒体用ガラス基板２０上に直接設けられるのではなく、放射線画像記録媒体１０と記録媒体用ガラス基板２０との間には、放射線画像記録媒体１０の記録媒体用ガラス基板２０からの剥離を容易にする剥離層１１、後述する発光体８０の線状電極８３から発せられる電磁波をシールドするシールド層１２、および放射線画像記録媒体１０の第２の電極層６の表面を被覆する記録媒体用被覆層１３が設けられている。
【００６５】
剥離層１１は、放射線画像記録媒体１０の記録媒体用ガラス基板２０からの剥離を容易にする材料であれば如何なるものでもよいが、たとえば、ポリイミドを用いて形成するようにすればよい。そして、その厚さは１〜１０μｍであることが望ましい。
【００６６】
シールド層１２は、発光体８０から発せられた読取光を透過するとともに導電性を有するものであれば如何なるものでもよいが、たとえば、ＩＺＯやＩＴＯで形成するようにすればよい。
【００６７】
記録媒体用被覆層１３は、第２の電極層６の線状電極６ａが形成可能な材料であれば如何なるものでもよいが、たとえば、２２０℃で焼成されたアクリルで形成するようにすればよい。また、その厚さは１〜４０μｍ程度であることが望ましい。
【００６８】
次に、放射線画像記録媒体１０の製造方法について説明する。
【００６９】
まず、記録媒体用ガラス基板２０上に剥離層１１、シールド層１２および記録媒体用被覆層１３がこの順に積層され、記録媒体用被覆層１３上に０．２μｍ程度の厚さのＩＺＯなどの薄膜が形成され、エッチングなどを施すことにより線状電極６ａが形成される。その後、読取用光導電層５、電荷輸送層４、および記録用光導電層３がこの順に形成され、記録用光導電層３上に第１の電極層２が形成される。そして、２３０μｍ程度の支持体層１ｂ上に、ＣａＷＯを含む蛍光体層１ａが形成された蛍光体シート（波長変換層１）を、蛍光体層１ａが第１の電極層２側を向くようにして第１の電極層２上に貼り合わせる。そして、図２に示すように、記録媒体用ガラス基板２０上に形成された第２の電極層６、読取用光導電層５、電荷輸送層４、記録用光導電層３、第１の電極層２、および波長変換層１の全体を覆うように保護層１４が形成される。保護層１４の材料としては、たとえば、アクリル樹脂などを用いることができる。
【００７０】
そして、上記のようにして記録媒体用ガラス基板２０上に形成された放射線画像記録媒体１０は、剥離層１１を溶解するような溶剤の中に浸されるとともに−２０℃まで冷却される。上記のようにして冷却すると、記録媒体用ガラス基板２０と放射線画像記録媒体１０との熱膨張係数との違い（放射線画像記録媒体１０の熱膨張係数よりも記録媒体用ガラス基板２０の熱膨張係数の方が小さい）から、図３に示すように、剥離層１１の縁辺が記録媒体用ガラス基板２０から剥がれるとともに、溶剤が剥離層１１と記録媒体用ガラス基板２０との間に入り込む。そして、剥離層１１が溶解することにより放射線画像記録媒体１０がシールド層１２および記録媒体用被覆層１３とともに記録媒体用ガラス基板２０から剥離される。なお、剥離層１１をポリイミドで形成するようにした場合には、溶剤としては、エチレンジアミン・ヒドラジンの１：１混合溶剤を利用することができる。また、上記のように熱膨張係数の違いを利用して放射線画像記録媒体１０を剥離する場合には、放射線画像記録媒体１０における全ての層の熱膨張係数が記録媒体用ガラス基板２０の熱膨張係数よりも大きい必要はなく、放射線画像記録媒体１０が温度変化により変形して記録媒体用ガラス基板２０から剥離するのであれば、少なくとも１層の熱膨張係数が記録媒体用ガラス基板２０の熱膨張係数よりも大きくなるようにすればよい。
【００７１】
また、上記実施形態では、放射線画像記録媒体１０を記録媒体用ガラス基板２０から剥離する際、熱膨張係数の相違を利用するようにしたが、必ずしも上記のように熱膨張係数の相違を利用する必要はなく、剥離層１１において剥離するのであれば如何なる方法を採用してもよい。
【００７２】
また、剥離層１１と記録媒体用ガラス基板２０との間に１μｍ程度のＡｕ膜を形成するようにしてもよく、上記のようにＡｕ膜を形成した場合には、放射線画像記録媒体１０の記録媒体用ガラス基板２０からの剥離をより容易にすることができる。
【００７３】
次に、上記のようにして形成された放射線画像記録媒体１０に照射される読取光を発光する発光層を有する平面状の発光体について説明する。図４に発光体８０の斜視図を示す。
【００７４】
発光体８０は、図４に示すように、平面状のカソード電極層８１、電圧印加に応じて読取光を発する有機ＥＬ層８２、および有機ＥＬ層８２から発せられた読取光を透過する線状に延びる線状電極８３ａが平行に配列されたアノード電極層８３をこの順に積層してなるものである。
【００７５】
アノード電極層８３は、上記のように多数の線状電極８３ａからなるものであるが、その材料としては読取光を透過するものであれば如何なるものでもよく、たとえば、ＩＴＯやＩＺＯを用いることができる。その厚さは０．２μｍ程度が望ましい。
【００７６】
有機ＥＬ層８２としては、正孔輸送層としてのＴＰＤ（N,N’-diphenyl-n,n’-bis(3-methylphenyl)-1,1’-biphenyl-4,4’-diamine）と青色発光材料としての[Zn(OXZ)3Cl](tris[2-(2-hydroxyphenyl)benzoxazolato]dizinc(II)chroride)との積層膜を用いることができる。
【００７７】
そして、上記発光体８０は、上記放射線画像記録媒体１０と同様に、発光体用ガラス基板上に形成されて製造されるものである。図５に発光体用ガラス基板９０上に形成された発光体８０の図４の５−５線断面図を示す。
【００７８】
図５に示すように、発光体８０は、上記放射線画像記録媒体１０と同様に、発光体用ガラス基板９０上に直接設けられるのではなく、発光体８０と発光体用ガラス基板９０との間には、発光体８０の発光体用ガラス基板９０からの剥離を容易にする剥離層９１、線状電極８３から発せられる電磁波をシールドするシールド層９２、および発光体８０のアノード電極層８３の表面を被覆する発光体用被覆層９３が設けられている。
【００７９】
剥離層９１、シールド層９２、および発光体用被覆層９３の材料およびその厚さについては、上記放射線画像記録媒体１０の場合と同様である。
【００８０】
次に、発光体８０の製造方法について説明する。
【００８１】
まず、発光体用ガラス基板９０上に剥離層９１、シールド層９２および発光体用被覆層９３がこの順に積層され、発光体用被覆層９３上に０．２μｍ程度の厚さのＩＺＯなどの薄膜が形成され、エッチングなどを施すことにより線状電極８３ａが形成される。その後、有機ＥＬ層８２が形成され、有機ＥＬ層８３上にカソード電極層８１が形成される。そして、そのカソードで電極層８１上に封止フィルム８４が形成される。そして、図５に示すように、発光体用ガラス基板９０上に形成されたアノード電極層８３、有機ＥＬ層８２、およびカソード電極層８１の全体を覆うように保護層９４が形成される。保護層９４の材料としては、たとえば、アクリル樹脂などを用いることができる。また、封止フィルム８４の材料としては、たとえば、ＳｉＯ２が蒸着されたＰＥＴフィルムを用いることができる。なお、図１においては封止フィルム８４は図示省略してある。
【００８２】
そして、上記のようにして発光体用ガラス基板９０上に形成された発光体８０は、剥離層９１を溶解するような溶剤の中に浸されるとともに−２０℃まで冷却される。上記のようにして冷却すると、発光体用ガラス基板９０と発光体８０との熱膨張係数との違い（発光体８０の熱膨張係数よりも発光体用ガラス基板９０の熱膨張係数の方が小さい）から、上記放射線画像記録媒体１０の製造方法と同様に、剥離層９１の縁辺が発光体用ガラス基板９０から剥がれるとともに、溶剤が剥離層９１と発光体用ガラス基板９０との間に入り込む。そして、剥離層９１が溶解することにより発光体８０がシールド層９２および発光体用被覆層９３とともに発光体用ガラス基板９０から剥離される。なお、上記のように熱膨張係数の違いを利用して発光体８０を剥離する場合には、有機ＥＬ層８２の熱膨張係数が発光体用ガラス基板９０の熱膨張係数よりも大きくなるようにすればよい。
【００８３】
また、上記実施形態では、発光体８０を発光体用ガラス基板９０から剥離する際、熱膨張係数の相違を利用するようにしたが、必ずしも上記のように熱膨張係数の相違を利用する必要はなく、剥離層９１において剥離するのであれば如何なる方法を採用してもよい。
【００８４】
また、上記放射線画像記録媒体の製造方法と同様に、剥離層９１と発光体用ガラス基板９０との間に１μｍ程度のＡｕ膜を形成するようにしてもよく、上記のようにＡｕ膜を形成した場合には、発光体８０の発光体用ガラス基板９０からの剥離をより容易にすることができる。
【００８５】
そして、本放射線画像記録読取装置１００は、図６に示すように、上記のようにして製造された放射線画像記録媒体１０と発光体８０とを、放射線画像記録媒体１０の第２の電極層６側と発光体８０のアノード電極層８３側とを互いに向かい合わせて貼り合わせることによって製造される。なお、このとき放射線画像記録媒体１０の第２の電極層６の線状電極６ａと発光体８０のアノード電極層８３の線状電極８３ａとが互いに直交するように貼り合わせられる。また、放射線画像記録媒体１０と発光体８０とを貼り合わせる方法としては、たとえば、真空中において放射線画像記録媒体１０と発光体８０とにそれぞれ図６に示す矢印方向に圧力をかけることにより互いのシールド層１２、９２を接合させて貼り合わせるようにしてもよいし、貼り合わせ面に接着剤を塗布して貼り合わせるようにしてもよい。
【００８６】
上記実施形態の製造方法により製造された放射線画像記録読取装置によれば、放射線画像記録媒体１０と発光体８０との間に記録媒体用基板２０および発光体用基板９０が配置されないようにしたので、上記基板における読取光の散乱による放射線画像の鮮鋭度の低下を回避することができるとともに、読取光の利用効率の低下も回避することができる。
【００８７】
また、ガラス基板を全く含まないように製造することができるので、軽くて割れない放射線画像記録読取装置１００を容易に構成することができる。
【００８８】
また、上記実施形態の製造方法により製造された放射線画像記録読取装置１００における放射線画像記録媒体１０を、図７に示すような放射線画像記録媒体３０として構成するようにしてもよい。放射線画像記録媒体３０は、第１の電極層３１、記録用光導電層３２、電荷輸送層３３、読取用光導電層３４、および読取光を透過する線状電極３５ａと読取光を遮光する遮光線状電極３５ｂとが互いに平行に配列された第２の電極層３５をこの順に積層してなるものであり、記録用光導電層３２と電荷輸送層３３との間に蓄電部３６が形成されるものである。つまり、上記放射線画像記録媒体３０は、放射線を直接電荷に変換する、いわゆる直接変換方式の放射線画像記録媒体である。放射線画像記録媒体３０においては、上記のように放射線を直接電荷に変換する必要があるため、上記放射線画像記録媒体１０と比較すると記録用光導電層３２の厚さが厚く、５００μｍ〜１０００μｍ程度で形成される。なお、その他の層の材料や厚さについては、第２の電極層３５の構成が異なる以外は、上記放射線画像記録媒体１０と同様である。
【００８９】
また、本放射線画像記録読取装置１００における放射線画像記録媒体１０および発光体８０の層構成は上記のような層構成に限らず、その他の層を加えたりしてもよい。
【００９０】
また、本放射線画像記録読取装置１００の製造方法についても、上記のような製造方法に限らず、たとえば、ガラス基板上に剥離層を形成した後、カソード電極層８１、有機ＥＬ層８２、およびアノード電極層８３をこの順に形成し、アノード電極層８３の上にシールド層を形成した後、第２の電極層６、読取用光導電層４、電荷輸送層３、記録用光導電層２、および第１の電極層１をこの順に形成し、その後、上記と同様にしてガラス基板から剥離するようにしてもよい。
【００９１】
また、本放射線画像記録読取装置１００の製造方法は、発光体８０として、発光体用基板９０が設けられた側から読取光を発するものを利用した場合における製造方法であるが、たとえば、発光体８０として、発光体用基板９０が設けられてない側から読取光を発するものを利用する場合には、上記製造方法のように発光体８０を発光体用基板９０から剥離する必要はなく、読取光が発せられる側を放射線画像記録媒体１０の方に向けて貼り合わせるようにすればよい。
【００９２】
次に、本発明の画像表示装置の製造方法の一実施形態およびその製造方法を用いて製造した画像表示装置について説明する。本画像表示装置は、光の照射により電荷を発生し、その電荷の発生により形成される電界に応じて光学特性が変化する表示層を有する画像表示媒体と、上記光を発する発光層を有する平面状の発光体とが積層されたものである。
【００９３】
まず、本画像表示装置における画像表示媒体１０について説明する。図８に画像表示媒体４０の斜視図を示す。なお、発光体については、上記放射線画像記録媒体１０に貼り合わされた発光体８０とその製造方法および構成ともに同様である。
【００９４】
画像表示媒体４０は、図８に示すように、可視光を透過する第１の電極層４１、印加される電圧に応じて光学特性が変化する表示層４２、読取光の照射により導電性を呈する光スイッチング層４３、線状のアドレス光を透過する線状電極４４ａが多数平行に配列された第２の電極層４をこの順に積層してなるものである。
【００９５】
第１の電極層４１としては、可視光を透過するものであればよく、たとえば、ＳｎＯ２、ＩＴＯ（Indium Tin Oxide）、アモルファス状光透過性酸化膜であるＩＤＩＸＯ（Idemitsu Indium X-metal Oxide ；出光興産（株））などを５０〜２００ｎｍ厚にして用いることができる。
【００９６】
第２の電極層４４は、上記のように多数の線状電極４４ａからなるものであるが、その材料としてはアドレス光を透過するものであれば如何なるものでもよく、たとえば、第１の電極層１と同様に、ＩＴＯやＩＺＯを用いることができる。
【００９７】
表示層４２は、正に帯電した白色粉末と負に帯電した黒色粉末を含有したマイクロカプセルを分散した分散層４２ａと黒色のシートからなる光吸収層４２ｂとから構成されている。
【００９８】
光スイッチング層４３は、アドレス光の照射により電荷を発生する第１および第２の電荷発生層４３ａ，４３ｃと、その第１の電荷発生層４３ａと第２の電荷発生層４３ｃとの間に挟まれて設けられた正孔輸送層４３ｂとから構成されている。第１および第２の電荷発生層４３ａ，４３ｃとしては、アドレス光の照射により電荷を発生するものであれば如何なるものでもよいが、たとえば、ａ−Ｓｅ、Ｓｅ−Ｔｅ、Ｓｅ−Ａｓ−Ｔｅ、無金属フタロシアニン、金属フタロシアニン、ＭｇＰｃ（Magnesium phtalocyanine），ＶｏＰｃ（phaseII of Vanadyl phthalocyanine）、ＣｕＰｃ（Cupper phtalocyanine）などのうち少なくとも１つを主成分とする光導電性物質が好適である。また、正孔輸送層４３ｂとしては、正の電荷の移動度と、その逆極性となる負の電荷の移動度の差が大きいもの（例えば１０２以上、望ましくは１０３以上）であればよく、たとえば、ＴＰＤ（N,N’-diphenyl-n,n’-bis(3-methylphenyl)-1,1’-biphenyl-4,4’-diamine）やディスコティック液晶等の有機系化合物、或いはＴＰＤのポリマー（ポリカーボネート、ポリスチレン、ＰＶＫ）分散物，Ｃｌを１０〜２００ｐｐｍドープしたａ−Ｓｅ等の半導体物質が適当である。
【００９９】
そして、上記画像表示媒体４０は、表示媒体用ガラス基板上に形成されて製造されるものである。図９に表示媒体用ガラス基板５０上に形成された画像表示媒体４０の図８の９−９線断面図を示す。
【０１００】
図９に示すように、画像表示媒体４０は、表示媒体用ガラス基板５０上に直接設けられるのではなく、上記放射線画像記録媒体１０と発光体８０と同様に、画像表示媒体４０と表示媒体用ガラス基板５０との間には、画像表示媒体４０の表示媒体用ガラス基板５０からの剥離を容易にする剥離層５１、発光体８０の線状電極８３から発せられる電磁波をシールドするシールド層５２、および画像表示媒体４０の第２の電極層４４の表面を被覆する表示媒体用被覆層５３が設けられている。剥離層５１、シールド層５２、および表示媒体用被覆層５３の材料および厚さについては、上記放射線画像記録媒体１０と上記発光体８０の場合と同様である。
【０１０１】
次に、画像表示媒体４０の製造方法について説明する。
【０１０２】
まず、表示媒体用ガラス基板５０上に剥離層５１、シールド層５２および表示媒体用被覆層５３がこの順に積層され、表示媒体用被覆層１３上に０．２μｍ程度の厚さのＩＺＯなどの薄膜が形成され、エッチングなどを施すことにより線状電極４４ａが形成される。その後、第２の電荷発生層４３ｃ、正孔輸送層４３ｂ、第１の電荷発生層４３ａ、光吸収層４２ｂ、分散層４２ａ、および第１の電極層４１がこの順に形成される。そして、第１の電極層４１上にプラスチックからなる支持体層４５が形成される。そして、図９に示すように、表示媒体用ガラス基板５０上に形成された第２の電極層４４、第２の電荷発生層４３ｃ、正孔輸送層４３ｂ、第１の電荷発生層４３ａ、光吸収層４２ｂ、分散層４２ａ、および第１の電極層４１の全体を覆うように保護層５４が形成される。なお、図８においては、支持体層４５は図示省略してある。
【０１０３】
そして、上記のようにして表示媒体用ガラス基板５０上に形成された画像表示媒体４０は、剥離層５１を溶解するような溶剤の中に浸されるとともに−２０℃まで冷却される。上記のようにして冷却すると、表示媒体用ガラス基板５０と画像表示媒体４０との熱膨張係数との違い（画像表示媒体４０の熱膨張係数よりも表示媒体用ガラス基板５０の熱膨張係数の方が小さい）から、上記放射線画像記録媒体１０および発光体８０の場合と同様に、剥離層５１の縁辺が表示媒体用ガラス基板５０から剥がれるとともに、溶剤が剥離層５１と表示媒体用ガラス基板５０との間に入り込む。そして、剥離層５１が溶解することにより画像表示媒体４０がシールド層５２および表示媒体用被覆層５３とともに表示媒体用ガラス基板５０から剥離される。なお、上記のように熱膨張係数の違いを利用して画像表示媒体４０を剥離する場合には、画像表示媒体４０における全ての層の熱膨張係数が表示媒体用ガラス基板５０の熱膨張係数よりも大きい必要はなく、画像表示媒体４０が温度変化により変形して表示媒体用ガラス基板５０から剥離するのであれば、少なくとも１層の熱膨張係数が表示媒体用ガラス基板５０の熱膨張係数よりも大きくなるようにすればよい。
【０１０４】
また、上記実施形態では、表示媒体４０を表示媒体用ガラス基板５０から剥離する際、熱膨張係数の相違を利用するようにしたが、必ずしも上記のように熱膨張係数の相違を利用する必要はなく、剥離層５１において剥離するのであれば如何なる方法を採用してもよい。
【０１０５】
また、剥離層５１とガラス基板５０との間に１μｍ程度のＡｕ膜を形成するようにしてもよく、上記のようにＡｕ膜を形成した場合には、画像表示媒体４０のガラス基板５０からの剥離をより容易にすることができる。
【０１０６】
そして、本画像表示装置２００は、図１０に示すように、上記のようにして製造された画像表示媒体４０と発光体８０とを、画像表示媒体４０の第２の電極層４４側と発光体８０のノード電極層８３側とを互いに向かい合わせて貼り合わせることによって製造される。なお、このとき画像表示媒体４０の第２の電極層４４の線状電極４４ａと発光体８０のアノード電極層８３の線状電極８３ａとが互いに直交するように貼り合わせられる。また、画像表示媒体４０と発光体８０とを貼り合わせる方法としては、たとえば、真空中において画像表示媒体４０と発光体８０とにそれぞれ図１０に示す矢印方向に圧力をかけることにより互いのシールド層５２、９２を接合させて貼り合わせるようにしてもよいし、貼り合わせ面に接着剤を塗布して貼り合わせるようにしてもよい。
【０１０７】
上記実施形態の製造方法により製造された画像表示装置２００によれば、画像表示媒体４０と発光体８０との間に表示媒体用基板５０および発光体用基板９０が配置されないようにしたので、上記基板における光の散乱による表示画像の鮮鋭度の低下を回避することができるとともに、上記光の利用効率の低下も回避することができる。
【０１０８】
また、ガラス基板を全く含まないように製造することができるので、軽くて割れない画像表示装置２００を容易に構成することができる。
【０１０９】
なお、上記画像表示装置２００の画像表示媒体４０における表示層４２を分散層４２ａと光吸収層４２ｂとから構成するのではなく、液晶からなる液晶層と光吸収層とから構成するようにしてもよい。そして、液晶層に使用する液晶としては、ポリマーネットワーク液晶（ＰＮＬＣＤ）を用いることが望ましい。また、コレステリック液晶を用いるようにしてもよい。
【０１１０】
また、本画像表示装置２００における画像表示媒体４０および発光体８０の層構成は上記のような層構成に限らず、その他の層を加えたりしてもよい。
【０１１１】
また、本画像表示装置２００の製造方法についても、上記のような製造方法に限らず、たとえば、ガラス基板上に剥離層を形成した後、カソード電極層８１、有機ＥＬ層８２、およびアノード電極層８３をこの順に形成し、アノード電極層８３の上にシールド層を形成した後、第２の電極層４４、第２の電荷発生層４３ｃ、正孔輸送層４３ｂ、第１の電荷発生層４３ａを形成し、第１の電荷発生層４３ａ上に光吸収層４２ｂ、分散層４２ａ、および第１の電極層４１をこの順に形成し、その後、上記と同様にしてガラス基板から剥離するようにしてもよい。
【０１１２】
また、本画像表示装置２００の製造方法は、発光体８０として、発光体用基板９０が設けられた側から光を発するものを利用した場合における製造方法であるが、たとえば、発光体８０として、発光体用基板９０が設けられてない側から光を発するものを利用する場合には、上記製造方法のように発光体８０を発光体用基板９０から剥離する必要はなく、光が発せられる側を画像表示媒体４０の方に向けて貼り合わせるようにすればよい。
【図面の簡単な説明】
【０１１３】
【図１】本発明の放射線画像記録読取装置の製造方法の一実施形態により製造される放射線画像記録読取装置おける放射線画像記録媒体の斜視図
【図２】記録媒体用ガラス基板上に形成された図１に示す放射線画像記録媒体の２−２線断面図
【図３】図１に示す放射線画像記録媒体の製造方法を説明するための図
【図４】本発明の放射線画像記録読取装置の製造方法の一実施形態により製造される放射線画像記録読取装置おける発光体の斜視図
【図５】発光体用ガラス基板上に形成された図４に示す発光体の５−５線断面図
【図６】本発明の放射線画像記録読取装置の製造方法の一実施形態により製造される放射線画像記録読取装置の断面図
【図７】図６に示す放射線画像記録読取装置における放射線画像記録媒体のその他の実施形態を示す図
【図８】本発明の画像表示装置の製造方法の一実施形態により製造される画像表示装置おける画像表示媒体の斜視図
【図９】表示媒体用ガラス基板上に形成された図８に示す画像表示媒体の９−９線断面図
【図１０】本発明の画像表示装置の製造方法の一実施形態により製造される画像表示装置の断面図
【符号の説明】
【０１１４】
１    波長変換層
２，３１    第１の電極層
３，３２    記録用光導電層
４，３３    電荷輸送層
５，３４    読取用光導電層
６ａ    線状電極
７，３６    蓄電部
１０，３０    放射線画像記録媒体
１１,５１，９１    剥離層
１２,５２，９２    シールド層
１３    記録媒体用被覆層
１４，５４，９４    保護層
２０    記録媒体用ガラス基板
３５ａ    線状電極
３５ｂ    遮光線状電極
４０    画像表示媒体
４１    第１の電極層
４２    表示層
４３    光スイッチング層
４４ａ    線状電極
４５    支持体層
５０    表示媒体用ガラス基板
５３    表示媒体用被覆層
８０    発光体
８１    カソード電極層
８３    アノード電極層
８４    封止フィルム
９０    発光体用ガラス基板
９３    発光体用被覆層
１００    放射線画像記録読取装置
２００    画像表示装置
【図１】
2005201807.tif 000003
【図２】
2005201807.tif 000004
【図３】
2005201807.tif 000005
【図４】
2005201807.tif 000006
【図５】
2005201807.tif 000007
【図６】
2005201807.tif 000008
【図７】
2005201807.tif 000009
【図８】
2005201807.tif 000010
【図９】
2005201807.tif 000011
【図１０】
2005201807.tif 000012